(57)【要約】  本発明は、モバイル機器に対するロケーションベースサービス技術に関するもので、ロケーションベースサービスに対して、モバイルに備えられたＧＰＳ受信部が非活性化（ｄｉｓａｂｌｅ）された状態でもＧＰＳ受信部を活性化して、モバイルロケーションベースサービスを提供した後、ＧＰＳ受信部を元の状態に回復させ、また、モバイルが一定速度以上で移動する場合、これを感知し、ＧＰＳ受信部を活性化して、モバイルロケーションベースサービスを提供するロケーションベースサービスのためのモバイル機器のＧＰＳ制御システム及びその駆動方法を特徴とする。
2020534737.tif 000002
【特許請求の範囲】
【請求項１】
基地局（２００）または災難感知送信手段（３００）及び近距離通信手段（４００）を通じたロケーションベースサービスのためのモバイル機器のＧＰＳ制御システムにおいて、
モバイル（１００）全般の制御を行うモバイルプロセッサー（１０２）と、
基地局（２００）を経由する移動通信網、ＮＦＣ（ｎｅａｒ  ｆｉｅｌｄ  ｃｏｍｍｕｎｉｃａｔｉｏｎ）、ブルートゥース、ＷｉＦｉのような無線チャネルを通じて通信するエアインタフェース（１０４）と、
時間間隔を設定して判読するタイマー（１０６）と、
エアインターフェース（１０４）から受信されるサービス情報、位置情報、イベントコードを保存する受信データバッファ（１０８）と、
モバイルプロセッサー（１０２）の制御によりＧＰＳ受信部のｏｎ／ｏｆｆ状態を読み取り、前記ＧＰＳ受信部を活性化させたり非活性化させるＧＰＳ制御部（１１０）と、
現在モバイル（１００）が位置する地点のＧＰＳ座標を算出するＧＰＳ受信部（１１４）と、
ロケーションベースサービスのためのイベントコードをテーブルに保存して、前記受信データバッファ（１０８）に保存されたイベントコードの有効性を判断するためのイベントコードメモリ（１１２）と、
前記タイマー（１０６）によって設定された時間間隔の間に接続されたマクロセル（Ｍａｃｒｏ−ｃｅｌｌ）の移動通信基地局のＩＤと接続変動（ハンドオーバー）時間を保存するタイム／基地局ＩＤバッファ（１１６）と、
エアインターフェース（１０４）から受信されるサービス情報、位置情報、イベントコードに基づいてロケーションベースサービスを提供するためのアプリケーションプログラム保存部（１１８）と、で構成されたモバイル（１００）を備えたことを特徴とするロケーションベースサービスのためのモバイル機器のＧＰＳ制御システム。
【請求項２】
前記モバイル（１００）は、各種災難情報、事故情報、生活情報を含むサービス情報と、それぞれの位置情報と、イベントコードがサービスサーバ（２５０）から移動通信網を経由して基地局（２００）を通じて送信されると、
基地局（２００）から送信されたサービス情報、位置情報、イベントコードは、モバイルのエアインターフェース（１０４）で受信されて、受信データバッファ（１０８）に保存され、
モバイルプロセッサー（１０２）は、受信データバッファ（１０８）からイベントコードを読み出してイベントコードメモリ（１１２）のテーブルを参照して、受信されたイベントコードが有効なイベントコードであるかどうかを判断し、
イベントコードメモリ（１１２）のテーブルに存在する有効なイベントコードが受信されたと判断されると、前記モバイルプロセッサー（１０２）はＧＰＳ制御部（１１０）を通じて現在ＧＰＳ受信部（１１４）が活性化状態であるかを判断し、非活性化状態である場合、ＧＰＳ受信部（１１４）を活性化状態に制御して、モバイルのＧＰＳ座標を算出し、
続いて、前記モバイルプロセッサー（１０２）は、ＧＰＳ制御部（１１０）を通じてＧＰＳ受信部（１１４）を前の状態に回復し、
基地局（２００）から送信された位置情報とモバイルのＧＰＳ座標を比較して受信データバッファ（１０８）の情報が有効な領域内の情報であると判断されると、アプリケーションプログラム保存部（１１８）の対応するプログラムを実行して、ロケーションベースサービスを提供するように構成されたことを特徴とする請求項１に記載のロケーションベースサービスのためのモバイル機器のＧＰＳ制御システム。
【請求項３】
前記モバイル（１００）は、
災難感知送信手段（３００）と近距離通信手段（４００）から送信されたサービス情報、位置情報、イベントコードが、モバイルのエアインターフェース（１０４）で受信されて、受信データバッファ（１０８）に保存されると、モバイルプロセッサー（１０２）は、受信データバッファ（１０８）からイベントコードを読み出してイベントコードメモリ（１１２）のテーブルを参照して、受信されたイベントコードが有効なイベントコードであるかどうかを判断し、
イベントコードメモリ（１１２）のテーブルに存在する有効なイベントコードが受信されたと判断されると、前記モバイルプロセッサー（１０２）は、ＧＰＳ制御部（１１０）を通じて現在ＧＰＳ受信部（１１４）が活性化状態であるかを判断し、非活性化状態である場合、ＧＰＳ受信部（１１４）を活性化状態に制御して、モバイルのＧＰＳ座標を算出した後、
ＧＰＳ制御部（１１０）を通じてＧＰＳ受信部（１１４）を前の状態に回復し、災難感知送信手段（３００）と近距離通信手段（４００）から送信された位置情報とモバイルのＧＰＳ座標を比較して受信データバッファ（１０８）の情報が有効な領域内の情報であると判断されると、アプリケーションプログラム保存部（１１８）の対応するプログラムを実行して、ロケーションベースサービスを提供するように構成されたことを特徴とする請求項１に記載のロケーションベースサービスのためのモバイル機器のＧＰＳ制御システム。
【請求項４】
前記モバイル（１００）は、
モバイルプロセッサー（１０２）の制御によりＴ１〜Ｔ２の一定の時間間隔をタイマー（１０６）に設定し、
設定した時間間隔の間に接続されたマクロセル（Ｍａｃｒｏ−ｃｅｌｌ）の移動通信基地局のＩＤと接続変動（ハンドオーバー）時間をタイム／基地局ＩＤバッファ（１１６）に保存した後、前記モバイルプロセッサー（１０２）は、タイム／基地局ＩＤバッファ（１１６）に保存された移動通信基地局のＩＤと接続変動（ハンドオーバー）時間を参照して、モバイル（１００）が移動中であると判断されると、ＧＰＳ制御部（１１０）を通じて現在ＧＰＳ受信部（１１４）が活性化状態であるかを判断し、非活性化状態である場合、ＧＰＳ受信部（１１４）を活性化状態に制御することにより、前記モバイル（１００）を基地局（２００）、災難感知送信手段（３００）及び近距離通信手段（４００）を通じてロケーションベースサービスを受けることができる状態に設定するように構成されたことを特徴とする請求項１に記載のロケーションベースサービスのためのモバイル機器のＧＰＳ制御システム。
【請求項５】
基地局（２００）または災難感知送信手段（３００）及び近距離通信手段（４００）を通じてロケーションベースサービスのためのモバイル機器のＧＰＳ制御システムの駆動方法において、
−Ｓ１００：モバイル（１００）の動作が開始されるステップと、
−Ｓ１０５：モバイル（１００）のモバイルプロセッサー（１０２）により一定の時間間隔をタイマー（１０６）に設定し、設定された一定の時間間隔の間に接続されたマクロセル（Ｍａｃｒｏ−ｃｅｌｌ）の移動通信基地局のＩＤと接続変動（ハンドオーバー）時間をタイム／基地局ＩＤバッファ（１１６）に保存するように設定されるステップと、
−Ｓ１１０：エアインターフェース（１０４）を通じて移動通信網または無線チャネルを通じて受信されたデータがあるかどうかをモバイルプロセッサー（１０２）によって判断するステップと、
−Ｓ１３０：前記ステップＳ１１０で受信されたデータがあると判断されると、モバイルプロセッサー（１０２）によって受信データバッファ（１０８）からイベントコードを読み出すステップと、
−Ｓ１３５：モバイルプロセッサー（１０２）によってイベントコードメモリ（１１２）のテーブルを参照して、前記ステップＳ１３０で読み出したイベントコードが有効であるか否かを判断し、有効なイベントコードでない場合、前記Ｓ１１０ステップから繰り返し実行するステップと、
−Ｓ１４０：前記ステップＳ１３５で有効なイベントコードと判断される場合、モバイルプロセッサー（１０２）は、ＧＰＳ制御部（１１０）を通じてモバイル（１００）のＧＰＳ受信部（１１４）が活性化されているかどうかを判断するステップと、
−Ｓ１４５：前記ステップＳ１４０でＧＰＳ受信部（１１４）が非活性化状態であると判断されると、モバイルプロセッサー（１０２）がＧＰＳ制御部（１１０）を通じてＧＰＳ受信部（１１４）を活性化させ、前記ステップＳ１４０でＧＰＳ受信部（１１４）が活性化されていると判断されると、次のＳ１５０ステップに進行するステップと、
−Ｓ１５０：続いて、モバイルプロセッサー（１０２）がＧＰＳ受信部（１１４）からモバイル（１００）の位置をＧＰＳ座標で算出し、前記ＧＰＳ受信部（１１４）を前の状態に活性化または非活性化させるステップと、
−Ｓ１５５：モバイルプロセッサー（１０２）は前記ステップＳ１５０で算出されたモバイル（１００）のＧＰＳ座標と受信データバッファ（１０８）のサービス情報、位置情報、イベントコードを利用して、アプリケーションプログラム保存部（１１８）の対応プログラムを実行して、ロケーションベースサービスを提供するステップと、
−Ｓ１６０：ロケーションベースサービスを引き続き行うか否かを問い合わせし、引き続き行うと判断されると、前記ステップＳ１１０から繰り返し実行するステップと、
−Ｓ１６５：前記ステップＳ１６０でロケーションベースサービスを継続していないと判断されると、サービスを終了するステップと、で構成されたことを特徴とするロケーションベースサービスのためのモバイル機器のＧＰＳ制御システムの駆動方法。
【請求項６】
前記ステップＳ１１０は、
受信したデータがないと判断される場合、モバイルプロセッサー（１０２）は、
−Ｓ１１５：一定の時間間隔の間に接続されたマクロセル（Ｍａｃｒｏ−ｃｅｌｌ）の移動通信基地局のＩＤと接続変動（ハンドオーバー）時間をタイム／基地局ＩＤバッファ（１１６）から読み出して、モバイル（１００）が移動しているか否かを判断し、移動していないと判断されると、前記ステップＳ１１０から繰り返し実行するステップと、
−Ｓ１２０：前記ステップＳ１２０で、モバイル（１００）が移動中であると判断されると、モバイルプロセッサー（１０２）はＧＰＳ制御部（１１０）を通じてモバイル（１００）のＧＰＳ受信部（１１４）が活性化されているかどうかを判断し、活性化されていると判断されると、モバイルプロセッサー（１０２）は前記ステップＳ１１０から繰り返し実行するステップと、
−Ｓ１２５：前記ステップＳ１２０でＧＰＳ受信部（１１４）が非活性化されていると判断されると、モバイルプロセッサー（１０２）はＧＰＳ制御部（１１０）を通じてＧＰＳ受信部（１１４）を活性化させ、前記ステップＳ１１０から繰り返し実行するステップと、をさらに実行するように構成されたことを特徴とする請求項５に記載のロケーションベースサービスのためのモバイル機器のＧＰＳ制御システムの駆動方法。
【発明の詳細な説明】
【技術分野】
【０００１】
本発明はモバイル機器に対するロケーションベースサービス技術に関し、ロケーションベースサービスに対して、モバイルに備えられたＧＰＳ受信部が非活性化（ｄｉｓａｂｌｅ）された状態でもＧＰＳ受信部を活性化して、モバイルロケーションベースサービスを提供した後、ＧＰＳ受信部を元の状態に回復させ、また、モバイル１００が一定速度以上で移動する場合、これを感知し、ＧＰＳ受信部を活性化して、モバイルロケーションベースサービスを提供するロケーションベースサービスのためのモバイル機器のＧＰＳ制御システム及びその駆動方法を技術分野とする。
【背景技術】
【０００２】
本発明に係る背景技術として、図１に示された大韓民国登録特許第１０−１３４３３７２号公報において移動通信網で強制位置登録技法による端末ビデオ着信サービス提供方法及びそのための装置技術が提案されている。この技術は、ＤＳ−ＨＬＲがＣＤＭＡ２０００−１ｘにモード変更されたＷＣＤＭＡ（登録商標）ビデオ端末をＷＣＤＭＡシステムに強制位置登録させて、ＳＩＰビデオ端末からＣＤＭＡ  ２０００−１ｘにモード変更されたＷＣＤＭＡビデオ端末でビデオ通話サービスを可能にする技術で、ＳＩＰビデオ端末がＣＤＭＡ  ２０００−１ｘにモード変更されたＷＣＤＭＡビデオ端末でビデオ発信をした場合、ビデオ通話ができなかった問題点を解決するために、ビデオ呼着信を試みた時、呼処理過程で、ＤＳ−ＨＬＲがＣＤＭＡ  ２０００−１ｘにモード変更されたＷＣＤＭＡビデオ端末をＷＣＤＭＡシステムに強制位置登録させてビデオ着信を可能にする移動通信網で強制位置登録技法による端末ビデオ着信サービス提供方法及びそのための装置を特徴とする。
【０００３】
本発明に係る他の背景技術として、図２に示した大韓民国登録特許第１０−０５５７０８０号公報において移動通信端末の位置決め装置及びその方法の技術が提案されている。この技術は、外部クライアントから受信された移動通信端末の位置要請メッセージを受信し、その位置要請メッセージに応答して、その特定地域を管轄する基地局識別子と、その特定地域に含まれているセルのリストを計算した後、その計算結果に基づいて、前記移動通信端末に対する位置を計算するための位置補助情報を計算し、その計算された位置補助情報を前記特定地域に位置したすべての移動通信端末（通信網に接続された（ｃｏｎｎｅｃｔｅｄ）移動通信端末及びアイドル（ｉｄｌｅ）状態の移動通信端末の両方）に送信した後、前記移動通信端末から位置計算結果を受信する過程を含む。この技術は、特定地域に位置したすべての移動通信端末の位置を迅速に決めることができ、移動通信端末の位置情報の提供に関係なく、その移動通信端末の位置を決めることができることを特徴とする。
【０００４】
本発明に係る他の背景技術として、図３に示した大韓民国登録特許第１０−１４２０９０６号公報においてＧＰＳを備えた移動通信端末の位置照会及び安心サービス方法の技術が提案されている。この技術は、保護者の端末がサーバーに保護対象端末の位置情報を要請する場合、前記サーバが前記保護対象端末のリアルタイムの位置測位を活性化させて位置情報を獲得し、獲得した位置情報を保護者の端末に転送して保護者に現在の保護対象端末の位置情報を知らせるサービス方法に関するものであり、保護者端末がサーバーに保護対象端末の位置情報を要請するステップと、前記要請を受信したサーバーがＧＰＳを備えた前記保護対象端末にＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線通信網を利用したＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）メッセージを送信して、リアルタイムの位置測位を活性化させるステップと、前記ＵＳＳＤメッセージを受信した保護対象端末が位置測位動作を実行して、保護対象端末の位置情報を獲得し、前記獲得した位置情報を、前記サーバを通じて前記保護者端末に送信するステップとを含み、前記保護対象端末は非常ボタンを備え、保護対象によって非常ボタンが活性化される場合、前記ＵＳＳＤメッセージを送信しなくても、保護対象端末のリアルタイムの位置測位が活性化され、前記保護対象端末がリアルタイムの位置測位を実行して、非常時メッセージと位置情報をサーバに送信し、サーバーが受信した非常メッセージと位置情報を保護者の端末に送信する位置照会及び安心サービス方法を特徴とする。
【発明の概要】
【発明が解決しようとする課題】
【０００５】
本発明は、モバイルに備えられたＧＰＳ受信部が非活性化（ｄｉｓａｂｌｅ）された状態でもＧＰＳ受信部を活性化して、モバイルロケーションベースサービスを提供した後、ＧＰＳ受信部を元の状態に回復させ、モバイルが一定速度以上で移動する場合、これを検出し、ＧＰＳ受信部を活性化して、モバイルロケーションベースサービスを提供するロケーションベースサービスのためのモバイル機器のＧＰＳ制御システム及びその駆動方法を提供することを解決しようとする課題とする。
【課題を解決するための手段】
【０００６】
本発明は、モバイル１００全般の制御を実行するモバイルプロセッサー１０２と、基地局２００を経由する移動通信網、ＮＦＣ（ｎｅａｒ  ｆｉｅｌｄ  ｃｏｍｍｕｎｉｃａｔｉｏｎ）、ブルートゥース（登録商標）、ＷｉＦｉなどの無線チャネルを通じて通信するエアインタフェース１０４と、時間間隔を設定して判読するタイマー１０６と、エアインターフェース１０４から受信されるサービス情報、位置情報、イベントコードを保存する受信データバッファ１０８と、モバイルプロセッサー１０２の制御によりＧＰＳ受信部のｏｎ／ｏｆｆ状態を読み取り、前記ＧＰＳ受信部を活性化させたり非活性化させるＧＰＳ制御部１１０と、現在モバイル１００が位置している地点のＧＰＳ座標を算出するＧＰＳ受信部１１４と、ロケーションベースサービスのためのイベントコードをテーブルに保存して、前記受信データバッファ１０８に保存されたイベントコードの有効性を判断するためのイベントコードメモリ１１２と、前記タイマー１０６によって設定された時間間隔の間に接続されたマクロセル（Ｍａｃｒｏ−ｃｅｌｌ）の移動通信基地局のＩＤと接続変動（ハンドオーバー）時間を保存するタイム／基地局ＩＤバッファ１１６と、エアインターフェース１０４から受信されるサービス情報、位置情報、イベントコードに基づいてロケーションベースサービスを提供するためのアプリケーションプログラム保存部１１８とで構成されたモバイル１００を備えたことを特徴とするロケーションベースサービスのためのモバイル機器のＧＰＳ制御システムとその駆動方法を課題の解決手段として提供する。
【発明の効果】
【０００７】
本発明はモバイルに備えられたＧＰＳ受信部が非活性化（ｄｉｓａｂｌｅ）された状態でもＧＰＳ受信部を活性化して、モバイルロケーションベースサービスを提供した後、ＧＰＳ受信部を元の状態に回復させ、モバイルが一定速度以上で移動する場合、ＧＰＳ受信部を活性化してモバイルロケーションベースサービスを提供する技術効果を奏する。
【図面の簡単な説明】
【０００８】
【図１】背景技術として、移動通信網で強制位置登録技法による端末ビデオ着信サービス提供方法及びそのための装置技術の構成である。
【図２】他の背景技術として、移動通信端末の位置決め装置及びその方法技術の構成である。
【図３】また他の背景技術として、ＧＰＳを備えた移動通信端末の位置照会及び安心サービス方法技術の構成である。
【図４】モバイルロケーションベースサービスの例示図である。
【図５】本発明のロケーションベースサービスのためのモバイル機器のＧＰＳ制御システムのためのモバイルの細部構成である。
【図６】本発明で基地局を通じたロケーションベースサービスの作用関係である。
【図７】本発明で災難感知送信手段と近距離通信手段を通じたロケーションベースサービスの基本作用関係である。
【図８】本発明でモバイルが一定速度以上で移動する場合、これを感知し、ＧＰＳ受信部を活性化するロケーションベースサービスの作用関係である。
【図９】本発明のロケーションベースサービスのためのモバイル機器のＧＰＳ制御システムの駆動方法のフローチャートである。
【発明を実施するための形態】
【０００９】
以下の内容はただ本発明の原理を例示する。それにより、この技術が属する分野で通常の知識を有する者は、本明細書に明確に説明されたり図示されていないが、本発明の原理を具現し、本発明の概念と範囲に含まれた多様な装置と方法を発明することができる。また、本明細書に記載されたすべての条件付き用語及び実施例は、原則的には、本発明の概念が理解されるようにするための目的のみで明らかに意図され、このように特別に列挙された実施例及び状態に制限的でないものと理解すべきである。また、本発明の原理、観点及び実施例だけでなく、特定の実施例を列挙するすべての詳細な説明は、これらの事項の構造的及び機能的均等物を含むように意図されるものと理解すべきである。
【００１０】
上述した目的、特徴及び利点は、添付された図面と関連した以下の詳細な説明を通じてさらに明らかになれる。本発明を説明するに当たって、関連する公知技術に対する具体的な説明が本発明の要旨を不必要に曖昧にすると判断される場合、その詳細な説明を省略する。以下、添付された図面を参照して、本発明に係る好ましい実施例を詳細に説明する。
【００１１】
図４はモバイルロケーションベースサービスを例示する。モバイルロケーションベースサービスは、モバイル１００の位置に対応する各種災難情報、事故情報、生活情報、金融決済などを提供するサービスを含む。前記モバイルロケーションベースサービスを提供するソース（ｓｏｕｒｃｅ）は、移動通信会社のサーバーを介した通信チャネルとして、基地局２００、火災、地震などの災難を感知して移動通信チャネルとは別途の無線通信チャネルで提供する災難感知送信手段３００、車の有料道路利用料金の支払いのための近距離通信手段４００を含むことができる。本発明では、前記の基地局２００、災難感知送信手段３００、近距離通信手段４００から提供されるモバイルロケーションベースサービス情報は、各種災難情報、事故情報、生活情報、金融決済情報などのサービス情報とともに、その地点の位置情報を含む。前記ロケーションベースサービス情報が提供されるモバイル１００は、複数のＧＰＳ衛星５００手段から受信されるＰＮコードとタイム情報を利用してモバイル１００の地理的座標（ＧＰＳ座標）を算出し、これを利用して、基地局２００、災難感知送信手段３００、近距離通信手段４００から提供されるモバイルロケーションベースサービス情報に対して有効な領域内の情報をフィルタリングしてユーザーに提供する。
【００１２】
しかし、前記モバイルロケーションベースサービスは、サービス別に独立したアプリケーションプログラム（ａｐｐｌｉｃａｔｉｏｎ  ｐｒｏｇｒａｍ）がユーザーによってそれぞれ選択されて実行されるべきであるだけでなく、前記アプリケーションプログラムに対してモバイル１００に備えられたＧＰＳ受信部が非活性化（ｄｉｓａｂｌｅ）された状態では、無用の物になるしかない。
【００１３】
本発明は前記の問題点を解決するためのものであり、モバイル１００がモバイルロケーションベースサービス情報を受ける場合、ＧＰＳ受信部の活性化の有無によって、非活性化時には、ＧＰＳ受信部を活性化してモバイルロケーションベースサービスを提供した後、ＧＰＳ受信部を元の状態に回復させるロケーションベースサービスのためのモバイル機器のＧＰＳ制御システム及びその駆動方法を提供する。また、本発明は、モバイル１００が一定速度以上で移動する場合、これを感知し、ＧＰＳ受信部を活性化してモバイルロケーションベースサービスを提供するロケーションベースサービスのためのモバイル機器のＧＰＳ制御システム及びその駆動方法を提供する。
【００１４】
図５は本発明のロケーションベースサービスのためのモバイル機器のＧＰＳ制御システムのためのモバイル１００の細部構成を示す。本発明のモバイル１００は、モバイル１００全般の制御を行うモバイルプロセッサー１０２と、基地局２００を経由する移動通信網、ＮＦＣ（ｎｅａｒ  ｆｉｅｌｄ  ｃｏｍｍｕｎｉｃａｔｉｏｎ）、ブルートゥース、ＷｉＦｉのような無線チャネルを通じて通信するエアインタフェース１０４と、時間間隔を設定して判読するタイマー１０６と、エアインターフェース１０４から受信されるサービス情報、位置情報、イベントコードを保存する受信データバッファ１０８と、モバイルプロセッサー１０２の制御によりＧＰＳ受信部のｏｎ／ｏｆｆ状態を読み取り、前記ＧＰＳ受信部を活性化させたり非活性化させるＧＰＳ制御部１１０と、現在モバイル１００が位置している地点のＧＰＳ座標を算出するＧＰＳ受信部１１４と、ロケーションベースサービスのためのイベントコードをテーブルに保存して、前記受信データバッファ１０８に保存されたイベントコードの有効性を判断するためのイベントコードメモリ１１２と、前記タイマー１０６によって設定された時間間隔の間に接続されたマクロセル（Ｍａｃｒｏ−ｃｅｌｌ）の移動通信基地局のＩＤと接続変動（ハンドオーバー）時間を保存するタイム／基地局ＩＤバッファ１１６と、エアインターフェース１０４から受信されるサービス情報、位置情報、イベントコードに基づいてロケーションベースサービスを提供するためのアプリケーションプログラム保存部１１８と、で構成される。
【００１５】
図６は本発明で基地局２００を通じたロケーションベースサービスの作用関係を示す。本発明の基地局２００を通じたロケーションベースサービスは、各種災難情報、事故情報、生活情報などのサービス情報と、それぞれの位置情報がサービスサーバ２５０に保存されて、前記サービスサーバ２５０から移動通信網を経由して基地局２００を通じてモバイル１００ａ、１００ｂ、１００ｃに送信される。この時、位置情報は、各種災難情報、事故情報、生活情報の発生位置や対応する位置情報としてＧＰＳ座標で提供されることが好ましい。本発明では、前記サービス情報及び位置情報とともにイベントコードがサービスサーバ２５０からモバイル１００ａ、１００ｂ、１００ｃに送信される。本発明のイベントコードは、モバイルのＧＰＳ受信部を活性化して、受信されたロケーションベースサービス情報に対して有効な領域内の情報をフィルタリングしてユーザーに提供するためのものであり、本発明のロケーションベースサービス情報に基づいて８桁以上の２進コードでそれぞれ区分して割り当てることができる。基地局２００から送信されたサービス情報、位置情報、イベントコードは、モバイルのエアインターフェース１０４で受信されて、受信データバッファ１０８に保存される。モバイルプロセッサー１０２は、受信データバッファ１０８からイベントコードを読み出し、イベントコードメモリ１１２のテーブルを参照して、受信されたイベントコードが有効なイベントコードであるかを判断する。イベントコードメモリ１１２のテーブルに存在する有効なイベントコードが受信されたと判断されると、前記モバイルプロセッサー１０２は、ＧＰＳ制御部１１０を通じて現在のＧＰＳ受信部１１４が活性化状態であるかを判断し、非活性化状態である場合、ＧＰＳ受信部１１４を活性化状態に制御して、モバイルのＧＰＳ座標を算出する。続いて、前記モバイルプロセッサー１０２は、ＧＰＳ制御部１１０を通じてＧＰＳ受信部１１４を前の状態に回復して、基地局２００から送信された位置情報とモバイルのＧＰＳ座標を比較して受信データバッファ１０８の情報が有効な領域内の情報と判断されると、アプリケーションプログラム保存部１１８の対応するプログラムを実行して、ロケーションベースサービスを提供する。
【００１６】
従って、本発明の基地局２００を通じたロケーションベースサービスとして、サービス情報と、それぞれの位置情報と、イベントコードを受信したモバイルは、ＧＰＳ受信部を活性化させて、現在のモバイルの位置をＧＰＳ座標で算出し、受信したサービス情報と位置情報に対して有効な領域内の情報をフィルタリングしてモバイルユーザーに提供することができる。
【００１７】
図７は本発明で災難感知送信手段３００及び近距離通信手段４００を通じたロケーションベースサービスの作用関係を示す。前記災難感知送信手段３００は、火災、地震などの災難をセンサーで感知して、無線通信チャネルで提供し、近距離通信手段４００は、車の有料道路利用料金の支払いなどの金融決済情報をサービス情報として提供する。前述のサービス情報は、その地点の位置情報とともにモバイル１００に提供される。前記ロケーションベースサービス情報が提供されるモバイル１００は地理的座標（ＧＰＳ座標）を算出し、これを利用して、災難感知送信手段３００、近距離通信手段４００から提供されるモバイルロケーションベースサービス情報に対して有効な領域内の情報をフィルタリングしてユーザーに提供する。
【００１８】
本発明では、前述のサービス情報及び位置情報とともにイベントコードが災難感知送信手段３００及び近距離通信手段４００からモバイル１００に送信される。本発明のイベントコードは、モバイルのＧＰＳ受信部を活性化させて、受信されたロケーションベースサービス情報に対して有効な領域内の情報をフィルタリングしてユーザーに提供するためのものであり、本発明のロケーションベースサービス情報に基づいて８桁以上の２進コードでそれぞれ区分して割り当てることができる。
【００１９】
災難感知送信手段３００及び近距離通信手段４００から送信されたサービス情報、位置情報、イベントコードは、モバイルのエアインターフェース１０４で受信されて、受信データバッファ１０８に保存される。モバイルプロセッサー１０２は、受信データバッファ１０８からイベントコードを読み出し、イベントコードメモリ１１２のテーブルを参照して、受信されたイベントコードが有効なイベントコードであるかを判断する。イベントコードメモリ１１２のテーブルに存在する有効なイベントコードが受信されたと判断されると、前記モバイルプロセッサー１０２は、ＧＰＳ制御部１１０を通じて現在のＧＰＳ受信部１１４が活性化状態であるかを判断し、非活性化状態である場合、ＧＰＳ受信部１１４を活性化状態に制御して、モバイルのＧＰＳ座標を算出する。続いて、前記モバイルプロセッサー１０２は、ＧＰＳ制御部１１０を通じてＧＰＳ受信部１１４を前の状態に回復して、災難感知送信手段３００及び近距離通信手段４００から送信された位置情報とモバイルのＧＰＳ座標を比較して受信データバッファ１０８の情報が有効な領域内の情報であると判断されると、アプリケーションプログラム保存部１１８の対応するプログラムを実行して、ロケーションベースサービスを提供する。
【００２０】
図８は、本発明でモバイル１００が一定速度以上で移動する場合、これを感知し、ＧＰＳ受信部を活性化するロケーションベースサービスの作用関係を示す。前述の図６及び図７で説明した本発明のロケーションベースサービスは、サービス情報、位置情報、イベントコードが送信されたモバイル１００がＧＰＳ受信部を活性化させて有効な領域内の情報をフィルタリングしてユーザーに提供する。それとともに、本発明はモバイル１００が高速道路や国道を車で移動する場合、これをモバイル１００が感知し、ＧＰＳ受信部を活性化することにより、ロケーションベースサービスを受けることができる。
【００２１】
この時、前記モバイル１００は、接続されたマクロセル（Ｍａｃｒｏ−ｃｅｌｌ）の移動通信基地局のＩＤを保存し、一定の時間間隔Ｔ１〜Ｔ２の間、前記移動通信基地局がハンドオーバー（ｈａｎｄ  ｏｖｅｒ）されて変動することからモバイル１００が移動したか否かを判断することができる。このために、前記モバイル１００はモバイルプロセッサー１０２の制御によりＴ１〜Ｔ２の一定の時間間隔をタイマー１０６に設定し、設定した時間間隔の間に接続されたマクロセル（Ｍａｃｒｏ−ｃｅｌｌ）の移動通信基地局のＩＤと接続変動（ハンドオーバー）時間をタイム／基地局ＩＤバッファ１１６に保存する。前記モバイルプロセッサー１０２は、タイム／基地局ＩＤバッファ１１６に保存された移動通信基地局のＩＤと接続変動（ハンドオーバー）時間を参照して、モバイル１００が移動中であると判断されると、ＧＰＳ制御部１１０を通じて現在ＧＰＳ受信部１１４が活性化状態であるかを判断し、非活性化状態である場合、ＧＰＳ受信部１１４を活性化状態に制御する。従って、前記モバイル１００は、基地局２００、災難感知送信手段３００及び近距離通信手段４００を通じたロケーションベースサービスを受けることができる状態に設定される。
【００２２】
図７では時間間隔Ｔ１〜Ｔ２の間マクロセル（Ｍａｃｒｏ−ｃｅｌｌ）の移動通信基地局がａ-ｂ-ｃ-ｄ-ｅに変動されることを示しており、好ましくは、時間間隔Ｔ１〜Ｔ２の間、３つ以上の移動通信基地局の変動によって移動中であるかどうかを判断することができる。従って、本発明のロケーションベースサービスのためのモバイル１００は、時間間隔Ｔ１〜Ｔ２の間３つ以上の移動通信基地局のＩＤが変更されると、ＧＰＳ受信部を活性化させることにより、ロケーションベースサービスを受けることができる。
【００２３】
本発明のロケーションベースサービスのためのモバイル機器のＧＰＳ制御システムは、基地局２００または災難感知送信手段３００及び近距離通信手段４００からサービス情報、位置情報、イベントコードが提供され、イベントコードを識別し、ＧＰＳ受信部を活性化させて、有効な領域内の情報をフィルタリングしてユーザーに提供する。この時、モバイル１００は、ＧＰＳ受信部を活性化させて、有効な領域内の情報をフィルタリングしてユーザーに提供した後、前の状態、つまりＧＰＳ受信部が非活性化状態であった場合元の状態に回復することもできる。
【００２４】
また、本発明のロケーションベースサービスのためのモバイル機器のＧＰＳ制御システムは、一定の時間間隔Ｔ１〜Ｔ２の間、３つ以上の移動通信基地局のＩＤが変更されると、ＧＰＳ受信部を活性化させることにより、ロケーションベースサービスを受けることもできる。この場合、モバイル１００は、ＧＰＳ受信部を活性化させて、受信した情報に対して有効な領域内の情報をフィルタリングしてユーザーに提供し、モバイル１００が特定の基地局に留まると判断されると、前の状態、つまりＧＰＳ受信部が非活性化状態であった場合、元の状態に回復することもできる。
【００２５】
図９は、本発明のロケーションベースサービスのためのモバイル機器のＧＰＳ制御システム駆動方法をフローチャートで示したものである。以下、本発明のＧＰＳ制御システムのモバイル駆動方法を順次に説明する。
【００２６】
ロケーションベースサービスのためのモバイル機器のＧＰＳ制御システムのモバイル駆動方法において；
−Ｓ１００：モバイル１００の動作が開始されるステップ；
−Ｓ１０５：モバイル１００のモバイルプロセッサー１０２により一定の時間間隔をタイマー１０６に設定し、設定された一定の時間間隔の間に接続されたマクロセル（Ｍａｃｒｏ−ｃｅｌｌ）の移動通信基地局のＩＤと接続変動（ハンドオーバー）時間をタイム／基地局ＩＤバッファ１１６に保存するように設定されるステップ；
−Ｓ１１０：エアインターフェース１０４を通じて移動通信網または無線チャネルを通じて受信されたデータがあるかどうかをモバイルプロセッサー１０２によって判断するステップ；
−Ｓ１３０：前記ステップＳ１１０で受信されたデータがあると判断されると、モバイルプロセッサー１０２によって受信データバッファ１０８からイベントコードを読み出すステップ；
−Ｓ１３５：モバイルプロセッサー１０２によってイベントコードメモリ１１２のテーブルを参照して、前記ステップＳ１３０で読み出したイベントコードが有効であるか否かを判断し、有効なイベントコードでない場合、前記Ｓ１１０ステップから繰り返し実行するステップ；
−Ｓ１４０：前記ステップＳ１３５で有効なイベントコードと判断された場合、モバイルプロセッサー１０２はＧＰＳ制御部１１０を通じてモバイル１００のＧＰＳ受信部１１４が活性化されているかどうかを判断するステップ；
−Ｓ１４５：前記ステップＳ１４０でＧＰＳ受信部１１４が非活性化状態であると判断されると、モバイルプロセッサー１０２がＧＰＳ制御部１１０を通じてＧＰＳ受信部１１４を活性化させ、前記ステップＳ１４０でＧＰＳ受信部１１４が活性化されていると判断されると、次のＳ１５０ステップに進行するステップ；
−Ｓ１５０：続いて、モバイルプロセッサー１０２がＧＰＳ受信部１１４からモバイル１００の位置をＧＰＳ座標で算出し、前記ＧＰＳ受信部１１４を前の状態に活性化または非活性化させるステップ；
−Ｓ１５５：モバイルプロセッサー１０２は前記ステップＳ１５０で算出されたモバイル１００のＧＰＳ座標と受信データバッファ１０８のサービス情報、位置情報、イベントコードを利用して、アプリケーションプログラム保存部１１８の対応プログラムを実行して、ロケーションベースサービスを提供するステップ；
−Ｓ１６０：ロケーションベースサービスを引き続き行うか否かを問い合わせし、引き続き行うと判断されると、前記ステップＳ１１０から繰り返し実行するステップと、
−Ｓ１６５：前記ステップＳ１６０でロケーションベースサービスを継続していないと判断されると、サービスを終了するステップと、で構成される。
【００２７】
前記ステップＳ１１０で受信されたデータがないと判断されると、モバイルプロセッサー１０２は、
−Ｓ１１５：一定の時間間隔の間に接続されたマクロセル（Ｍａｃｒｏ−ｃｅｌｌ）の移動通信基地局のＩＤと接続変動（ハンドオーバー）時間をタイム／基地局ＩＤバッファ１１６から読み出して、モバイル１００が移動しているかどうかを判断し、移動していないと判断されると、前記ステップＳ１１０から繰り返し実行するステップと、
−Ｓ１２０：前記ステップＳ１２０でモバイル１００が移動していると判断されると、モバイルプロセッサー１０２はＧＰＳ制御部１１０を通じてモバイル１００のＧＰＳ受信部１１４が活性化されているかどうかを判断し、活性化されていると判断されると、モバイルプロセッサー１０２は前記ステップＳ１１０から繰り返し実行するステップと、
−Ｓ１２５：前記ステップＳ１２０でＧＰＳ受信部１１４が非活性化状態であると判断されると、モバイルプロセッサー１０２はＧＰＳ制御部１１０を通じてＧＰＳ受信部１１４を活性化させ、前記ステップＳ１１０から繰り返し実行するステップと、をさらに備えて実行する。
【００２８】
以上のように説明された本発明のロケーションベースサービスのためのモバイル機器のＧＰＳ制御システム及びその駆動方法によれば、サービス別に独立したアプリケーションプログラム（ａｐｐｌｉｃａｔｉｏｎ  ｐｒｏｇｒａｍ）をそれぞれ選択する必要がなく、前記アプリケーションプログラムに対して、モバイル１００に備えられたＧＰＳ受信部が非活性化（ｄｉｓａｂｌｅ）された状態でもＧＰＳ受信部を活性化して、モバイルロケーションベースサービスを提供した後、ＧＰＳ受信部を元の状態に回復させることを特徴とする。また、本発明は、モバイル１００が一定速度以上で移動する場合、これを検出し、ＧＰＳ受信部を活性化して、モバイルロケーションベースサービスを提供する特徴がある。
【００２９】
本発明のロケーションベースサービスのためのモバイル機器のＧＰＳ制御システム及びその駆動方法は、限定された実施例と図面によって説明されたが、本発明はこれによって限定されず、本発明が属する技術分野で通常の知識を有する者によって、本発明の技術的思想と特許請求の範囲の均等な範囲内で多様な修正及び変形が可能であることはもちろんである。
【図１】
2020534737.tif 000003
【図２】
2020534737.tif 000004
【図３】
2020534737.tif 000005
【図４】
2020534737.tif 000006
【図５】
2020534737.tif 000007
【図６】
2020534737.tif 000008
【図７】
2020534737.tif 000009
【図８】
2020534737.tif 000010
【図９】
2020534737.tif 000011
【国際調査報告】
2020534737.tif 000012
2020534737.tif 000013
2020534737.tif 000014
2020534737.tif 000015